(57)【特許請求の範囲】
【請求項１】
足場資材計算制御部と足場資材データベースを備える足場資材計算装置と、
情報入力部、記憶部、制御部、表示部及び通信手段を備える携帯端末とが、通信回線を介して接続され、
前記携帯端末は、制御部によって実行されるアプリケーションソフトウエアが記憶部に記憶され、
前記アプリケーションソフトウエアは、前記携帯端末の表示部に、建物の高さと最上作業床の情報又は最低作業床の情報とを入力可能に表示する機能及び足場資材計算制御部から送信される計算結果を表示する機能を備え、
前記足場資材計算装置の足場資材計算制御部は、前記携帯端末のアプリケーションソフトウエアの表示部で入力された前記建物の高さと前記最上作業床の情報又は前記最低作業床の情報とを受信する受信手段と、足場資材計算ロジックが複数格納される格納手段、前記受信手段で受信した情報について、足場資材データベースの情報を参照し、前記格納手段に格納される足場資材計算ロジックによって演算処理をする演算手段、そして、前記足場資材計算ロジックにより算出された計算結果を保存する保存手段、前記計算結果を前記携帯端末へ送信する送信手段を備え、
前記最上作業床は、足場資材における最も高い位置に配置される足場板を表し、前記最上作業床の情報は、前記最上作業床と前記建物の最も高い位置との間の長さである最上作業床高さを含み、前記最低作業床は、前記足場資材における最も低い位置に配置される足場を表し、前記最低作業床の情報は、地面から前記最低作業床の位置までの長さである最低作業床高さを含み、
前記足場資材計算制御部の格納手段に格納される足場資材計算ロジックが、作業床計算ロジックを含み、
前記演算手段は、前記携帯端末のアプリケーションソフトウエアの表示部で入力された前記建物の高さと前記最上作業床の情報又は最低作業床の情報とを受け付けると、前記足場資材計算ロジックを実行し、前記最上作業床高さ又は前記最低作業床高さの計算結果を算出する
ことを特徴とする足場資材簡易計算システム。
【請求項２】
前記足場資材計算ロジックにより算出された計算結果が保存手段に保存され送信手段により携帯端末に送信され、
前記携帯端末の制御部は、通信手段により受信した計算結果を用い、前記携帯端末の表示部に、前記地面、前記最上作業床、前記最低作業床、および前記建物を表した図と、前記建物の高さ、前記最上作業床の情報、および前記最低作業床の情報と、を表示するよう制御し、前記表示部は、前記図と、前記建物の高さ、前記最上作業床の情報、および前記最低作業床の情報と、を表示してなる、請求項１に記載の足場資材簡易計算システム。
【請求項３】
前記アプリケーションソフトウエアは、前記携帯端末の表示部に、更に、仮設足場の建地の外柱と内柱の高さ関係及び転落防止手摺りの有無を含む上部仕様のタイプを選択する画面、前記建物に対して作業床が組まれる位置を表す作業床の高さの種類を選択する画面、および根がらみ支柱の有無を選択する画面を表示する機能を備え、
前記足場資材計算制御部の格納手段に格納される足場資材計算ロジックが、更に、天井上高計算ロジック、段数計算ロジック、開始コマ計算ロジック、外柱コマ計算ロジック、内柱コマ計算ロジック、ジャッキレベル計算ロジックを含み、
前記保存手段には、更に、選択された前記上部仕様のタイプ別に外柱コマ定数、内柱コマ定数、および最上作業床以上の高さ定数が保存されており、
前記演算手段は、前記携帯端末のアプリケーションソフトウエアの表示部で入力された前記建物の高さ並びに前記最上作業床の情報又は前記最低作業床の情報に加えて、更に、前記上部仕様の情報、前記作業床の高さの種類の情報、および前記根がらみ支柱の有無の情報の少なくとも１種の中から選択された情報を受け付けると、前記足場資材計算ロジックを実行し、前記実行の際、必要に応じて、前記保存手段に保存されている外柱コマ定数、内柱コマ定数、および最上作業床以上の高さ定数の少なくとも１種を読み出し、少なくとも最上作業床高さ、最低作業床高さ、天井上高さ、段数、開始コマ数、ジャッキベースの高さのうち、２以上の計算結果を算出する、請求項１又は２に記載の足場資材簡易計算システム。
【請求項４】
足場資材計算制御部と足場資材データベースを備える足場資材計算装置と、情報入力部、記憶部、制御部、表示部及び通信手段を備える携帯端末とが、通信回線を介して接続された足場資材簡易計算システムによる足場資材簡易計算方法であって、
（１）前記携帯端末の記憶部に記憶されるアプリケーションソフトウエアが、前記携帯端末の制御部によって実行され、情報入力可能に表示部が表示される工程、
（２）前記アプリケーションソフトウエアの建物の高さと最上作業床の情報又は最低作業床の情報とを入力可能に表示する機能により携帯端末の表示部に、前記建物の高さと前記最上作業床の情報又は前記最低作業床の情報とを入力する工程、
（３）前記入力された前記建物の高さと前記最上作業床の情報又は前記最低作業床の情報とが、足場資材計算装置の受信手段で受信される工程、
（４）足場資材計算制御部が、前記受信手段で受信された情報について、演算手段により、足場資材データベースの情報を参照し、格納手段に格納される足場資材計算ロジックで演算処理をする工程、
（５）前記足場資材計算ロジックにより算出された計算結果を保存手段により保存する工程、
（６）前記計算結果を送信手段により前記携帯端末へ送信する工程、
（７）前記携帯端末が通信手段により受信した計算結果を用い、前記携帯端末の制御部により、前記計算結果を携帯端末の表示部に、地面、前記最上作業床、前記最低作業床、および前記建物を表した図と、前記建物の高さ、前記最上作業床の情報、および前記最低作業床の情報と、を表示するよう制御する工程、
（８）前記表示部が、前記図と、前記建物の高さ、前記最上作業床の情報、および前記最低作業床の情報と、を表示する工程
からなり、
前記最上作業床は、足場資材における最も高い位置に配置される足場板を表し、前記最上作業床の情報は、前記最上作業床と前記建物の最も高い位置との間の長さである最上作業床高さを含み、前記最低作業床は、前記足場資材における最も低い位置に配置される足場を表し、前記最低作業床の情報は、前記地面から前記最低作業床の位置までの長さである最低作業床高さを含み、
前記足場資材計算制御部の格納手段に格納される足場資材計算ロジックが、作業床計算ロジックを含み、
前記演算手段は、携帯端末のアプリケーションソフトウエアの表示部で入力された前記建物高さと前記最上作業床の情報又は前記最低作業床の情報とを受け付けると、前記足場資材計算ロジックを実行し、前記最上作業床の情報又は前記最低作業床の情報を算出する
ことを特徴とする足場資材簡易計算方法。
【請求項５】
前記アプリケーションソフトウエアは、前記携帯端末の表示部に、更に、仮設足場の建地の外柱と内柱の高さ関係及び転落防止手摺りの有無を含む上部仕様のタイプを選択する画面、前記建物に対して作業床が組まれる位置を表す作業床の高さの種類を選択する画面、および根がらみ支柱の有無を選択する画面を表示する機能を備え、
前記足場資材計算制御部の格納手段に格納される足場資材計算ロジックが、更に、天井上高計算ロジック、段数計算ロジック、開始コマ計算ロジック、外柱コマ計算ロジック、内柱コマ計算ロジック、ジャッキレベル計算ロジックを含み、
前記保存手段には、更に、選択された前記上部仕様のタイプ別に外柱コマ定数、内柱コマ定数、および最上作業床以上の高さ定数が保存されており、
前記演算手段は、前記携帯端末のアプリケーションソフトウエアの表示部で入力された前記建物の高さ並びに前記最上作業床の情報又は前記最低作業床の情報に加えて、更に、前記上部仕様の情報、前記作業床の高さの種類の情報、および前記根がらみ支柱の有無の情報の少なくとも１種の中から選択された情報を受け付けると、前記足場資材計算ロジックを実行し、前記実行の際、必要に応じて、前記保存手段に保存されている外柱コマ定数、内柱コマ定数、および最上作業床以上の高さ定数の少なくとも１種を読み出し、少なくとも最上作業床高さ、最低作業床高さ、天井上高さ、段数、開始コマ数、ジャッキベースの高さのうち、２以上の計算結果を算出する、請求項４に記載の足場資材簡易計算方法。
【発明の詳細な説明】
【技術分野】
【０００１】
本発明は、建物の周囲に構築される仮設足場にかかる資材の数量計算を行う足場資材簡易計算システムであって、特に、簡単に足場資材の組み立てに必要となる情報の計算が可能で、その計算結果を視覚的に理解しやすいように携帯端末等に表示する足場資材簡易計算システム及びその計算方法に関する。
【背景技術】
【０００２】
一般に建物を建設、改築、修繕、解体等する場合、建物の周囲に仮設足場が構築される。仮設足場は、建地となる支柱を構成する単管、作業場所を確保するために水平方向に配置される足場板（踏板ともいう。）、手摺り、支柱となる単管に、平行、垂直、斜めに単管同士を繋ぐクランプ、単管と単管を繋ぎ、繋ぎ目の強度を補強する継ぎ手、固定ベース、ジャッキベース、根がらみなど、たくさんの資材が用いられる。
そして、作業者が安全に作業できるように、建物ごとにその建物に応じた資材の組み合わせを考えて組み立てられる。
【０００３】
通常、建物に応じた資材の組み合わせを算出するための割付計算は以下の手順で行われる。以下は平面割付（地面と水平方向）計算の場合である。
１）  建物の施工範囲（縦（Ｙ）横（Ｘ））を出す
２）  「建物の長さ＋理想の外柱とのはなれ」を出す
３）  足場資材の最も長い１，８００ｍｍの手摺り（又は足場板）が何本必要か調べる
４）  余り（端数）の長さを調べる
５）  余り（端数）の長さに一番近い手すりを選ぶ
６）  端数を見て、はなれが予想より狭くなるか広くなるか考える
７）  敷地に余裕があるかないかを把握して、余裕があれば最適なはなれになるよう計算
【０００４】
また、建物の高さ方向（地面と垂直方向）に対しては以下のような計算が必要となる。
１）  建物の高さをだす
２）  最上作業床、最低作業床の位置情報をだす
３）  支柱の上部仕様を決める
４）  段数を算出する
５）  根がらみ支柱の有無を決める
６）  開始コマを計算する
７）  外柱コマを計算する
８）  内柱コマを計算する
９）  外柱に必要となる３６００ｍｍの柱本数を計算する
１０）  内柱に必要となる３６００ｍｍの柱本数を計算する
【０００５】
建物の形状は千差万別であり、建物によって、足場資材の割付範囲、支柱上部の仕様等が異なるため、必要な各足場資材の数量も現場によって異なる。
例えば、支柱と言っても、ジャッキベースと単管、そして必要に応じて根がらみ支柱を組み合わせて構成されるので、現場の状況、目的ごとにそれぞれ数値を調整する必要がある。
【０００６】
上記の手順で行われる各種計算は、その手順を覚えるのが大変であり、また一般に手作業で行われており、毎日現場を施工する限られた時間の中で計算をしなければいけないという実情から、計算ミスの発生を防ぎきることができない。
また、複数の足場資材の組み合わせパターンが考えられる場合でも、他の組み合わせの選択肢の見落としをしてしまうことも少なくない。
【０００７】
しかし、あらかじめ、各種計算をして数量等を算出して現場作業にはいらないと、足場を組む職人だけでなく、その足場を使う使用業者にも不利益が生じる。
例えば、はなれが狭いあるいは広すぎると作業性が悪く、安全性が損なわれ危険が伴うことになり、その足場を使う使用業者の作業者に不利益が生じる。
また、一つの現場における各資材の数量は膨大な数であり、現場で足場を組む職人にとって、足場資材選びに悩む時間が増え、また不足分が生じれば資材を取りに戻らなければならず、さらには余分な資材が生じてしまった場合には、それを回収する必要が生じ、時間的ロスは見過ごすことのできるレベルではなく、様々な支障が生じることとなる。一般的な家屋であれば、仮設足場の組み立て作業に割り当てられる時間は非常に短く、作業中に不足資材を取りに保管場所に戻るというような時間的なロスは、現場の工期に影響を与えてしまうこともあり、足場職人だけでなく、現場全体からみても不利益は大きい。
【０００８】
必要な資材の割付や数量の計算のミスや、大雑把な概算であっても、経験を積んだ足場職人は、現場で対応できる場合もあるが、場当たり的な対応により、使用業者から足場が狭い、高さが合っていなくて作業しにくい、危険である等のクレームが発生したり、足場職人の作業時間の圧迫や残業・長時間労働の発生が生じるという問題も発生している。
【０００９】
そのため、仮設足場の各部材の割付や数量の計算は、丁寧にかつ慎重に行わなくてはならず、また、建物ごとに状況が異なっているため、時間がかかる煩雑な作業となっていて、これを手作業で行う精神的負担は大きく、業界全体の問題となっている。
【００１０】
このような問題に対して、様々な対応手段が開示されている。
例えば、特許文献１には、足場立面図を基に簡単且つ正確に足場資材の数量を算出することができる仮設足場立面図作成装置が開示されている。
この仮設足場立面図作成装置は、仮設足場を構築するための一又は複数の足場資材で構成される複数の３次元の構成ユニットをそれぞれ個別に２次元の単位立面図形として表示する複数の図形情報を少なくとも格納する格納手段と、該格納手段に格納された前記図形情報を基に、当該図形情報を表示装置に表示しながら組み合わせて足場立面図を作成する足場立面図作成手段と、該足場立面図作成手段で作図に使用された全ての図形情報のうちの一部又は全部の各々について当該図形情報で表される前記構成ユニットを構成する前記足場資材の数量を求め、求めた足場資材の数量を累積して各足場資材の数量を算出する足場資材数量算出手段と、該足場資材数量算出手段で算出した各足場資材の数量を出力する出力手段とを備える。
この装置によれば、足場資材の数量をＣＡＤ装置等で作成した仮設足場立面図から得られる図形情報に基づいて算出するので正確な足場資材の数量が得られ、手作業で行う時のような勘違いや計算ミスをすることなく足場資材の数量を算出できる。
【００１１】
また、特許文献２には、足場図面を簡単に作成できる足場図面作成用物差しが開示されている。
この物差しは、互いに直交する測長線をそれぞれ異なった単位長に基づいて複数線刻し、一方の測長線を足場用支柱の立設位置をプロットするために用い、他方の測長線を足場用踏板の取り付け位置をプロットするために用いるようにしたものである。
使用にあたっては、この物差しは、単位長を踏板のサイズをベースにし、他方の単位長を支柱のサイズ（コマの間隔）をベースにしているので、図面に物差しの目盛の位置をプロットするだけでよい。また、この物差しには、足場図面の作成には関係しない目盛がないので、数え間違いなどミスが生じる要素がなく経験の浅い人でも、正確かつ確実に短時間で足場図面を作図できる。
【先行技術文献】
【特許文献】
【００１２】
【特許文献１】特開平９−１１４８７２号公報
【特許文献２】実用新案登録第３２１５２６２号公報
【発明の開示】
【発明が解決しようとする課題】
【００１３】
特許文献１に記載の仮設足場立面図作成装置は、ＣＡＤ装置等により得られる図面に基づいて必要な足場資材を自動的に算出するものである。そのため、ＣＡＤ装置等を使わずに手作業で必要な足場資材を割付する場合には使うことができない。新築の建物であれば、ＣＡＤ図面が用意されるが、一般家屋の補修の場合など、古い既存の建物では図面が用意されないことは少なくなく、しかし、仮設足場の構築のためにわざわざ既存建物の図面を改めて作成することはなく、そのような場合には前記仮設足場立面図作成装置は機能しない。
【００１４】
またＣＡＤ装置を使った自動割付は、現場ごとの細かい状況を考慮することができない。
例えば、図１４の支柱と根がらみ支柱の説明図に示すように、仮設足場の支柱は、単管の下にジャッキベースを配置し支柱の高さを調整する（図１４（ａ））。
しかし、ジャッキベースの高さに応じて許容支持力が変化するため、現場によってジャッキレベル（ジャッキベースの高さ）の許容が定められている場合があり、単にジャッキベースで高さ調整すればよいというわけではない。
また、市販のジャッキベースはレベルの許容範囲が長かったり、ジャッキレベルを調整するために根がらみ支柱（図１４（ｂ））を使う場合もあり、現場に合わせた許容範囲内でジャッキレベルを調整する必要がある。
さらに、ジャッキレベルの設定を確認して、支柱の上部仕様を決める必要があり、このようにそれぞれ必要な高さや数量を計算し、その算出した結果を利用して別の資材の計算をする場合があり、それぞれあらかじめ足場資材に必要な情報を算出して丁寧に計画を立てておかなければ、現場での資材の調整や組み立ての調整に時間がかかり、作業効率が非常によくないという問題が生じる。
【００１５】
一方、特許文献２に記載の足場図面作成用物差しであれば、ＣＡＤ図面や専用ソフトを必要とはしないが、出力された設計図に基づいて物差しを使って必要な足場資材の算出をするものであり、前述のような既存建物など設計図がない場合には使えない。
また、細かい目盛りを読みながら、手作業で支柱の配置位置や踏板の取付け間隔を設定するので、目盛りの読み違いが生じたり、客観的な足場資材の選択、見直しをしたりすることはできない。
【００１６】
仮設足場における資材の割付や数量の算出は、ある特定の１つのパターンが正解というものではなく、選択する資材のサイズや、はなれの距離の調整等により、複数のパターンが考えられる。
また、仮設足場を組み立てる環境、例えば、隣家との距離が非常に狭い、屋根の形状が複雑、家屋の近くに屋根付きの車庫がある等、図面だけから読み取ることができない様々な現場の環境の違いを考慮して足場資材の割付をしなければならず、それにより複数の割付パターンが考えられ、その中から最も適していると考えられる割付パターンを採用し、足場資材の数量を算出し、調整する必要がある。さらに、地盤の起伏や正確な屋根の構造、植木の配置、カーポートの屋根形状等、設計図からでは読めず、現場で再検討が必要となる場合が生じてしまい、円滑な作業を行えず工期の遅延を招いている。
このことからも、単にカウントしやすい目盛りの物差しで最適な足場資材の数量計算ができるものではない。
【００１７】
本願発明者は、上記のような問題を解決し、携帯端末に数字を入力するだけで、仮設足場の組み立てに必要な情報の算出ができ、また算出された計算結果を携帯端末の表示部に視覚的に理解しやすく表示され、調整がしやすい足場資材簡易計算システム及びその計算方法を提供する。
【課題を解決するための手段】
【００１８】
本願発明者は、鋭意検討の結果、上記課題を下記の手段により解決した。
［１］  足場資材計算制御部と足場資材データベースを備える足場資材計算装置と、情報入力部、記憶部、制御部、表示部及び通信手段を備える携帯端末とが、通信回線を介して接続され、携帯端末は、制御部によって実行されるアプリケーションソフトウエアが記憶部に記憶され、アプリケーションソフトウエアは、携帯端末の表示部に、建物の高さと最上作業床の情報又は最低作業床の情報とを入力可能に表示する機能及び足場資材計算制御部から送信される計算結果を表示する機能を備え、足場資材計算装置の足場資材計算制御部は、携帯端末のアプリケーションソフトウエアの表示部で入力された建物の高さと最上作業床の情報又は最低作業床の情報とを受信する受信手段と、足場資材計算ロジックが複数格納される格納手段、受信手段で受信した情報について、足場資材データベースの情報を参照し、格納手段に格納される足場資材計算ロジックによって演算処理をする演算手段、そして、足場資材計算ロジックにより算出された計算結果を保存する保存手段、計算結果を携帯端末へ送信する送信手段を備え、最上作業床は、足場資材における最も高い位置に配置される足場板を表し、最上作業床の情報は、最上作業床と建物の最も高い位置との間の長さである最上作業床高さを含み、最低作業床は、足場資材における最も低い位置に配置される足場を表し、最低作業床の情報は、地面から最低作業床の位置までの長さである最低作業床高さを含み、足場資材計算制御部の格納手段に格納される足場資材計算ロジックが、作業床計算ロジックを含み、演算手段は、携帯端末のアプリケーションソフトウエアの表示部で入力された建物の高さと最上作業床の情報又は最低作業床の情報とを受け付けると、足場資材計算ロジックを実行し、最上作業床高さ又は最低作業床高さの計算結果を算出することを特徴とする足場資材簡易計算システム。
【００１９】
［２］  足場資材計算ロジックにより算出された計算結果が保存手段に保存され送信手段により携帯端末に送信され、携帯端末の制御部は、通信手段により受信した計算結果を用い、携帯端末の表示部に、地面、最上作業床、最低作業床、および建物を表した図と、建物の高さ、最上作業床の情報、および最低作業床の情報と、を表示するよう制御し、表示部は、図と、建物の高さ、最上作業床の情報、および最低作業床の情報と、を表示してなる、［１］に記載の足場資材簡易計算システム。
［３］  アプリケーションソフトウエアは、携帯端末の表示部に、更に、仮設足場の建地の外柱と内柱の高さ関係及び転落防止手摺りの有無を含む上部仕様のタイプを選択する画面、建物に対して作業床が組まれる位置を表す作業床の高さの種類を選択する画面、および根がらみ支柱の有無を選択する画面を表示する機能を備え、足場資材計算制御部の格納手段に格納される足場資材計算ロジックが、更に、天井上高計算ロジック、段数計算ロジック、開始コマ計算ロジック、外柱コマ計算ロジック、内柱コマ計算ロジック、ジャッキレベル計算ロジックを含み、保存手段には、更に、選択された上部仕様のタイプ別に外柱コマ定数、内柱コマ定数、および最上作業床以上の高さ定数が保存されており、演算手段は、携帯端末のアプリケーションソフトウエアの表示部で入力された建物の高さ並びに最上作業床の情報又は最低作業床の情報に加えて、更に、上部仕様の情報、作業床の高さの種類の情報、および根がらみ支柱の有無の情報の少なくとも１種の中から選択された情報を受け付けると、足場資材計算ロジックを実行し、実行の際、必要に応じて、保存手段に保存されている外柱コマ定数、内柱コマ定数、および最上作業床以上の高さ定数の少なくとも１種を読み出し、少なくとも最上作業床高さ、最低作業床高さ、天井上高さ、段数、開始コマ数、ジャッキベースの高さのうち、２以上の計算結果を算出する、［１］又は［２］に記載の足場資材簡易計算システム。
【００２０】
［４］  足場資材計算制御部と足場資材データベースを備える足場資材計算装置と、情報入力部、記憶部、制御部、表示部及び通信手段を備える携帯端末とが、通信回線を介して接続された足場資材簡易計算システムによる足場資材簡易計算方法であって、
（１）携帯端末の記憶部に記憶されるアプリケーションソフトウエアが、携帯端末の制御部によって実行され、情報入力可能に表示部が表示される工程、
（２）アプリケーションソフトウエアの建物の高さと最上作業床の情報又は最低作業床の情報とを入力可能に表示する機能により携帯端末の表示部に、建物の高さと最上作業床の情報又は最低作業床の情報とを入力する工程、
（３）入力された建物の高さと最上作業床の情報又は最低作業床の情報とが、足場資材計算装置の受信手段で受信される工程、
（４）足場資材計算制御部が、受信手段で受信された情報について、演算手段により、足場資材データベースの情報を参照し、格納手段に格納される足場資材計算ロジックで演算処理をする工程、
（５）足場資材計算ロジックにより算出された計算結果を保存手段により保存する工程、
（６）計算結果を送信手段により携帯端末へ送信する工程、
（７）携帯端末が通信手段により受信した計算結果を用い、携帯端末の制御部により、計算結果を携帯端末の表示部に、地面、最上作業床、最低作業床、および建物を表した図と、建物の高さ、最上作業床の情報、および最低作業床の情報と、を表示するよう制御する工程、
（８）表示部が、図と、建物の高さ、最上作業床の情報、および最低作業床の情報と、を表示する工程
からなり、最上作業床は、足場資材における最も高い位置に配置される足場板を表し、最上作業床の情報は、最上作業床と建物の最も高い位置との間の長さである最上作業床高さを含み、最低作業床は、足場資材における最も低い位置に配置される足場を表し、最低作業床の情報は、地面から最低作業床の位置までの長さである最低作業床高さを含み、足場資材計算制御部の格納手段に格納される足場資材計算ロジックが、作業床計算ロジックを含み、演算手段は、携帯端末のアプリケーションソフトウエアの表示部で入力された建物高さと最上作業床の情報又は最低作業床の情報とを受け付けると、足場資材計算ロジックを実行し、最上作業床の情報又は最低作業床の情報を算出することを特徴とする足場資材簡易計算方法。
［５］  アプリケーションソフトウエアは、携帯端末の表示部に、更に、仮設足場の建地の外柱と内柱の高さ関係及び転落防止手摺りの有無を含む上部仕様のタイプを選択する画面、建物に対して作業床が組まれる位置を表す作業床の高さの種類を選択する画面、および根がらみ支柱の有無を選択する画面を表示する機能を備え、足場資材計算制御部の格納手段に格納される足場資材計算ロジックが、更に、天井上高計算ロジック、段数計算ロジック、開始コマ計算ロジック、外柱コマ計算ロジック、内柱コマ計算ロジック、ジャッキレベル計算ロジックを含み、保存手段には、更に、選択された上部仕様のタイプ別に外柱コマ定数、内柱コマ定数、および最上作業床以上の高さ定数が保存されており、演算手段は、携帯端末のアプリケーションソフトウエアの表示部で入力された建物の高さ並びに最上作業床の情報又は最低作業床の情報に加えて、更に、上部仕様の情報、作業床の高さの種類の情報、および根がらみ支柱の有無の情報の少なくとも１種を受け付けると、足場資材計算ロジックを実行し、実行の際、必要に応じて、保存手段に保存されている外柱コマ定数、内柱コマ定数、および最上作業床以上の高さ定数の少なくとも１種を読み出し、少なくとも最上作業床高さ、最低作業床高さ、天井上高さ、段数、開始コマ数、ジャッキベースの高さのうち、２以上の計算結果を算出する、［４］に記載の足場資材簡易計算方法。
【発明の効果】
【００２１】
本発明に係る足場資材簡易計算システムによれば、足場資材の計算制御部と、足場資材データベースとを備える足場資材計算装置と、情報入力部、記憶部、制御部、表示部及び通信手段を備える携帯端末とが、通信回線を介して接続され、携帯端末は、制御部によって実行されるアプリケーションソフトウエアが記憶部に記憶され、アプリケーションソフトウエアは、携帯端末の表示部に、建物高さと最上作業床高さ又は最低作業床高さを入力可能に表示する機能及び足場資材計算制御部から送信される計算結果を表示する機能を備え、足場資材計算装置の足場資材計算制御部は、携帯端末のアプリケーションソフトウエアの表示部で入力された建物高さと最上作業床高さ又は最低作業床高さの情報を受信する受信手段と、足場資材計算ロジックが複数格納される格納手段、受信手段で受信した情報について、足場資材データベースの情報を参照し、格納手段に格納される足場資材計算ロジックによって演算処理をする演算手段、そして、足場資材計算ロジックにより算出された計算結果を保存する保存手段、計算結果を携帯端末へ送信する送信手段を備えてなるので、携帯端末を使って簡単に現場の状況に応じた最適な仮設足場の組み立てに必要な情報について計算をすることができ、手作業で煩雑な足場資材の各種計算をする必要がなくなり、経験が浅くても簡単に必要な足場資材の計算をすることができる。
【００２２】
また、複数の足場資材計算ロジックにより算出された複数の計算結果が保存手段に保存され携帯端末に送信され、携帯端末の制御部は、通信手段により受信した複数の計算結果を、携帯端末の表示部の画面一面に視覚的に理解しやすいように図表化して表示するよう図表化制御し、表示部は図表化制御により画面一面に計算結果を表示してなるので、慌ただしい現場作業中や、限られた時間内で作業する場合でも、必要な情報が図表化されて携帯画面上に表示され、見やすく読み間違いや勘違い等が生じにくく、簡単で使いやすい足場資材の計算システムを提供することができる。
【００２３】
さらに本発明に係る足場資材簡易計算システムは、足場資材の計算に必要となる複数の足場資材計算ロジックを実行して、その計算結果を表示する構成なので、作業床の高さや、天井上高、段数、開始コマ、外柱・内柱の本数、ジャッキレベル等、現場に適合した数値を視覚で簡単に確認することができ、大幅に手作業を省力化でき、計算ミスを防止することができる。
【図面の簡単な説明】
【００２４】
【図１】図１は、本発明に係る足場資材簡易計算システムの実施例における機能的構成を説明するブロック図である。
【図２】図２は、本発明に係る足場資材簡易計算システムにおける携帯端末の表示部に表示される「建物高さ」と「最上作業床」高さ又は「最低作業床」高さの入力画面の例を示す図である。
【図３】図３は、現場における仮設足場の組立例を示す説明図である。
【図４】図４は、本発明に係る足場資材簡易計算システムにおける選択可能な計算条件を図表化した例を示す図である。
【図５】図５は、本発明に係る足場資材簡易計算システムにおける携帯端末に表示される表示部の入力画面の一例を示す図である。
【図６】図６は、本発明に係る足場資材簡易計算システムにおける携帯端末に表示される表示部の計算結果を表示した一例を示す図である。
【図７】図７は、本発明に係る足場資材簡易計算システムによる足場資材計算の流れを示すフローチャートである。
【図８】図８は、本発明に係る足場資材簡易計算システムの足場資材計算ロジックを説明するフローチャートであり、最上作業床の情報を算出する場合に実行されるフローチャートである。
【図９】図９は、本発明に係る足場資材簡易計算システムの足場資材計算ロジックを説明するフローチャートであり、最低作業床の情報を算出する場合に実行されるフローチャートである。
【図１０】図１０は、本発明に係る足場資材簡易計算システムの足場資材計算ロジックを説明するフローチャートであり、天井上高計算ロジック及びジャッキレベル計算ロジックを実行する場合のフローチャートである。
【図１１】図１１は、本発明に係る足場資材簡易計算システムの足場資材計算ロジックを説明するフローチャートであり、段数、開始コマ、外柱コマ、内柱コマ、３６００の柱本数の各計算ロジックを実行する場合のフローチャートである。
【図１２】図１２は、本発明に係る足場資材簡易計算システムの足場資材計算ロジックを説明するフローチャートであり、足場種類を変更して算出する時に実行される足場種類変更時ロジックを実行する場合のフローチャートである。
【図１３】図１３は、足場種類のタイプ別コマ定数を示す一覧表である。
【図１４】図１４は、支柱と根がらみ支柱の説明図である。
【図１５】図１５は、本発明に係る足場資材簡易計算システムにおける携帯端末に表示される表示部の計算結果を表示した他の例を示す図である。
【発明を実施するための形態】
【００２５】
本発明に係る足場資材簡易計算システムを実施するための形態を、実施例の図に基づいて説明する。
なお、以下の発明の実施形態については、形状、数値的条件などは、単なる好適例にすぎない。従って、この発明は以下の実施形態に限定されるものではなく、この発明の構成の範囲を逸脱せずにこの発明の効果を達成できる多くの変更を行うことができる。
【００２６】
〔機能的構成〕
図１は本発明に係る足場資材簡易計算システムの実施例における機能的構成を説明するブロック図である。
図中、１は足場資材簡易計算システム、２は携帯端末、２１は情報入力部、２２は記憶部、２３は制御部、２４は表示部、２５は通信手段である。また、３は足場資材の計算装置であり、３０は足場資材の計算制御部、３１は格納手段、３２は演算手段、３３は保存手段、３４は受信手段、３５は送信手段、３６は足場資材データベースである。また、４は管理者用端末であり、１００は通信回線である。
【００２７】
本発明に係る足場資材簡易計算システム１は、図１に示すように、格納手段３１、演算手段３２、保存手段３３、受信手段３４、送信手段３５からなる足場資材計算制御部３０と、足場資材データベース３６とを備える足場資材計算装置３（以下計算装置３ともいう。）と、情報入力部２１、記憶部２２、制御部２３、表示部２４及び通信手段２５を備える携帯端末２とが、通信回線１００を介して接続されて構成される。
【００２８】
図１に示す構成は一実施例であり、足場資材計算装置３は、クラウド上のサーバ装置であっても、別途設置されたサーバ機器であってもよい。
足場資材計算装置３は、足場資材計算制御部３０と、足場資材データベース３６を備え、足場資材計算制御部３０は、少なくとも格納手段３１、演算手段３２、保存手段３３、受信手段３４、送信手段３５を備える。
足場資材計算制御部３０は、ＣＰＵ（Ｃｅｎｔｒａｌ  Ｐｒｏｃｅｓｓｉｎｇ  Ｕｎｉｔ）やＧＰＵ（Ｇｒａｐｈｉｃｓ  Ｐｒｏｃｅｓｓｉｎｇ  Ｕｎｉｔ）等のプロセッサを含み、格納手段３１に格納された足場資材計算ロジックのプログラムを実行し、演算手段３２により演算処理が行われる。そして、足場資材計算ロジックにより演算手段３２で演算処理され算出された計算結果は保存手段３３に保存される。
【００２９】
足場資材データベース３６は、各種足場資材の情報や各資材の使用条件等が保存され、計算装置３による計算の演算処理をする際に参照される。足場資材データベース３６の情報更新は、管理者用端末４から手作業で行ってもよく、また通信により自動で他のデータベースから情報更新可能な構成であってもよく、その機能を備えるものであれば、その構成自体は任意に変更可能である。
【００３０】
通信回線１００は、携帯端末２と計算装置３との間で情報を相互に送受信可能な有線、無線を問わない通信回線であり、インターネット回線、イントラネット回線、ＬＡＮ等特に限定はされない。
【００３１】
携帯端末２は、通信回線１００に接続可能な通信インタフェースの通信手段２５を備えた利用者が操作する電子端末であり、スマートフォンやタブレット端末、コンピュータ装置などで、少なくとも情報入力部２１、記憶部２２、制御部２３、表示部２４及び通信手段２５を備える。
情報入力部２１は、表示部とタッチパネルが一体となったタッチスクリーンであっても、キーボードからの入力、ペンによる入力であってもよく、後述する建物高さと最上作業床又は最低作業床の情報の数値を入力できる手段であれば、音声によるものであってもよい。
携帯端末２の記憶部２２は、ＯＳやアプリケーションプログラム等を格納するＲＯＭや作業領域となるＲＡＭ、各種情報を記憶するＨＤＤ（Ｈａｒｄ  Ｄｉｓｋ  Ｄｒｉｖｅ）やＳＳＤ（Ｓｏｌｉｄ  Ｓｔａｔｅ  Ｄｒｉｖｅ）などにより構成される。本実施例では、足場資材の計算を行うアプリケーションソフトウエアが記憶部２２に記憶され、制御部２３により実行処理が行われる。
【００３２】
表示部２４は、利用者が情報を視覚的に認識するためのインタフェースであり、アプリケーションソフトウエアのメニューを表示し、また、計算装置３により計算された計算結果を表示するものであり、携帯端末２がスマートフォンであれば、情報入力部２１としても機能する表示画面であり、コンピュータ装置であればディスプレイである。
このように、携帯端末２は、情報入力を促し、情報を受け付け、その情報を計算装置３に送信するとともに、計算装置３の演算手段３２により算出された計算結果を受信し、その表示部２４上に表示できるものである。
【００３３】
携帯端末２は、制御部２３によって実行されるアプリケーションソフトウエアを記憶部２２に記憶しておくことで、利用者の操作性を高めている。アプリケーションソフトウエアは、携帯端末２の機能により動作するものであっても、ネットワーク上に提供されるウェブサイトのアプリケーションを利用するものであってもよい。なお、携帯端末２の記憶部２２に計算装置３の機能を組み込み、通信回線１００を使えないようなオフラインの環境で計算可能な構成とすることも可能である。事前に設計図面上ではわからない建物の周囲の状況に対し、現場で状況を見ながら携帯端末２を操作して、最適な足場組み立てに必要な各種の計算が行えるように構成される。
【００３４】
〔携帯端末で入力する情報〕
本発明に係る足場資材簡易計算システム１は、携帯端末２の記憶部２２にアプリケーションソフトウエアが記憶され、アプリケーションソフトウエアは制御部２３によって実行される。
アプリケーションソフトウエアは、少なくとも携帯端末２の表示部２４に、「建物高さ」と「最上作業床」又は「最低作業床」の情報を入力可能に表示する機能及び足場資材計算制御部３０から送信される計算結果を表示する機能を備える。
【００３５】
アプリケーションソフトウエアの表示部２４には、「建物高さ」と「最上作業床」又は「最低作業床」の情報を入力するための入力欄が、情報入力部２１により入力可能に表示される。
図２は、本発明に係る足場資材簡易計算システムにおける携帯端末の表示部に表示される「建物高さ」と「最上作業床」又は「最低作業床」の情報の入力画面の例を示す図、図３は、現場における仮設足場の組立例を示す説明図である。
図中、５０は建物、５１は最上作業床、５２は最低作業床、５３はジャッキベース、５４は外柱、５５は内柱、５６は根がらみ支柱、５７は天井上高さを示す。
仮設足場の建地を構成する外柱５４と内柱５５は、ジャッキベース５３の上に配置される。例えば、図１４の支柱と根がらみ支柱の説明図において（ａ）に示すように、固定ベース上に配置されたジャッキベース５３に、支柱となる単管が配置される。
根がらみ支柱５６を利用する場合は、図１４（ｂ）に示すように、ジャッキベース５３に根がらみ支柱５６が配置され、その上に図示しない外柱５４、内柱５５となる単管が配置される。なお、根がらみ支柱５６は、低い位置に手摺りを付けやすくしたり、作業しやすくするために高さを調整する目的で使用される足場資材である。
また、最上作業床５１は、仮設足場の建地における最も高い位置に配置される足場板であり、最低作業床５２は、最も低い位置に配置される足場板である。
本発明において、携帯端末２の表示部２４には、「建物高さ」を入力する建物高さ入力部５０ａ、「最上作業床」と建物の最も高い位置との間の長さを入力する最上作業床入力部５１ａ、地面から「最低作業床」の位置までの長さを入力する最低作業床入力部５２ａが入力欄として表示される。
【００３６】
本発明に係る足場資材簡易計算システムにおける大きな特徴は、入力が必要な情報は、建物高さ入力部５０ａに入力する建物の高さの他、最上作業床入力部５１ａ又は最低作業床入力部５２ａのいずれかに該当する数値を入力するだけでよいことである。すなわち、建物高さと最上作業床、あるいは建物高さと最低作業床の情報を携帯端末２の表示部２４の入力欄に情報入力部２１から入力するだけで、それに基づいて必要な情報が計算され、その計算結果が携帯端末２の表示部２４に表示される構成となっている。
したがって、最上作業床か最低作業床の位置を決めておけば、あとは自動的に計算される構成となっている。
【００３７】
図４は、本発明に係る足場資材簡易計算システムにおける選択可能な計算条件を図表化した例を示す図である。
本発明に係る足場資材簡易計算システム１は、建物の形状や現場の状況に合わせて仮設足場の組み立てに必要な情報を算出することができるものであり、「建物高さ」及び「最上作業床」又は「最低作業床」の情報の数値入力の他、各種の計算条件を選択して入力することで、より使いやすい計算結果を算出できるように構成される。
例えば、図４（１）は、仮設足場の建地の外柱５４と内柱５５の上部仕様の種類、（２）は作業床の高さの種類、（３）は根がらみ支柱の有無、について一目で理解して選択できるようにアイコンのように図表化したものである。
図４（１）の上部仕様の種類については、例えば、転落防止手摺りの有無、外柱と内柱の高さ関係等の任意の上部仕様を図表化された図を見るだけで選択できるように構成される。
また、図４（２）の作業床の高さの種類としては、作業床が、建物より下に位置するように組むか、上に位置するように組むかの選択が可能である。さらに図４（３）では根がらみ支柱があるか否か、選択可能となっている。
そして、それぞれ選択候補を図表化することで、選択する内容が一目で区別することができ、かつ利用者が迷うことがない。利用者は、それぞれ計算条件を選択して、携帯端末２の表示部２４で建物高さと、最上作業床又は最低作業床の情報とともに計算するよう指示して送るだけで、詳細な計算条件を考慮した計算結果を得ることができる。
携帯端末２の表示部２４には、算出された計算結果がどの計算条件の下に算出されたものであるか、一目で確認できるよう構成される。
また、一度表示された計算結果について、さらに別の条件での計算を希望する場合には、該当する計算条件のみ変更して、再度計算指示を送れば、他の情報を再入力することなく、変更後の計算結果を表示することができる。
【００３８】
図５は、本発明に係る足場資材簡易計算システムにおける携帯端末に表示される表示部の入力画面の一例を示す図である。
表示部２４には、「上部仕様」「床の設定」「根がらみ支柱」について計算条件を選択できる計算条件選択部２４ｃ、建物高さを入力する建物高さ入力部５０ａ、最上作業床の情報を入力する最上作業床入力部５１ａ、最低作業床の情報を入力する最低作業床入力部５２ａが、建物及び建地の支柱を模して図表化された画面内に、一目で入力部がわかるように表示される。計算条件選択部２４ｃで選択をし、建物高さ入力部５０ａ、最上作業床入力部５１ａ又は最低作業床入力部５２ａに数値を入力し、「計算」ボタンを選択するだけで、各情報が通信手段２５により足場資材計算装置３に送信される構成となっている。
【００３９】
〔計算結果の表示〕
図６は、本発明に係る足場資材簡易計算システムにおける携帯端末に表示される表示部の計算結果を表示した一例を示す図である。
携帯端末２の表示部２４には、計算前に選択した「上部仕様」「床の設定」「根がらみ支柱」について選択した計算条件が表示される。
そして、入力した「建物高さ」が建物高さ入力部５０ａに表示される。
最上作業床と最低作業床の情報は、どちらか一方だけ入力すればよいことから、入力した方は入力した情報が、入力しなかった方は、計算装置３から受信した計算結果が表示される。
図６の例では、図５で最低作業床の情報を入力したので入力した情報はそのままで、入力されなかった最上作業床の情報が計算結果として図表化されて表示される。
そして、その他の情報として計算されたジャッキレベル５３ａ、天井上高さ５７が、図表化された該当位置に表示される。
そして、前述のように図表化されたものとは別に、計算結果表示部２４ａに、計算結果として、「ジャッキレベル」「開始コマ」「段数」「柱（外）の根がらみ支柱のコマ数、その他のコマ数」「柱（内）の根がらみ支柱のコマ数、その他のコマ数」が表のごとく整然と表示される。
なお、コマ数を８コマで割りたい時は、別途「８コマ割り」ボタンで指示をする。コマ数を８コマで割りたい時というのは、３６００ｍｍの柱（８コマの柱）を使う場合の本数を確認したい時である。その場合は、「８コマ割り」で指示すると、計算装置３の足場資材計算制御部３０が、格納手段３１の足場資材計算ロジックの中から「３６００の柱本数計算ロジック」（図１１参照）を選択し演算処理し、携帯端末２へ計算結果を送信し、携帯端末２は、その制御部２３により、図１５に示すように「３．６ｍ柱」のコマ数について表示部２４に表示させる。すると、計算装置３の足場資材計算制御部３０が、格納手段３１の足場資材計算ロジックの中から該当するロジックを選択し演算処理し、携帯端末２へ計算結果を送信し、携帯端末２は、その制御部２３により表示部２４に表示させる。
このように本発明に係る足場資材簡易計算システムは、図表化された画面内に、計算結果が一目でわかるように当てはめて表示され、誰でも理解しやすく使いやすいものとなっている。
【００４０】
〔足場資材計算方法（流れ）〕
図７は、本発明に係る足場資材簡易計算システムによる足場資材計算の流れを示すフローチャートである。
本発明に係る足場資材簡易計算システム１による足場資材計算方法は、まず、（１）携帯端末２の記憶部２２に記憶されるアプリケーションソフトウエアが、携帯端末２の制御部２３によって実行され、情報入力可能に表示部２４が表示される（ステップ１）。
そして、（２）アプリケーションソフトウエアの建物高さと最上作業床又は最低作業床の情報を入力可能に表示する機能により携帯端末２の表示部２４に、建物高さと最上作業床又は最低作業床の情報を入力する（ステップ２）。
その際、建物高さと最上作業床又は最低作業床の情報を入力するとともに、計算条件選択部２４ｃで、任意の条件を選択することもできる。（図５）。
図５に示す実施例では、「上部仕様」は「対象高さまで／内柱上まで」を選択している。また、「作業床」は、建物よりも上となる場合を選択している。そして、「根がらみ支柱」がある場合という条件が設定されている。
【００４１】
（３）入力された建物高さと最上作業床又は最低作業床の情報が、足場資材計算装置３の受信手段３４で受信される（ステップ３）。
そして、（４）足場資材計算装置３の足場資材計算制御部３０は、受信手段３４で受信した情報について、演算手段３２により、足場資材データベース３６の情報を参照し、格納手段３１に格納される割付計算ロジックで割付計算の演算処理をする（ステップ４）。
【００４２】
その後、（５）足場資材計算ロジックにより算出された計算結果を保存手段３３により保存し（ステップ５）、（６）計算結果を送信手段３５により携帯端末２へ送信する（ステップ６）。
【００４３】
（７）携帯端末２が通信手段２５により受信した複数の計算結果を、携帯端末２の制御部２３により、携帯端末２の表示部２４の画面一面に視覚的に理解しやすいように図表化して表示するよう図表化制御する（ステップ７：図６）。
（８）表示部２４が、図表化制御により表示部２４画面の一面に計算結果を表示する（ステップ８）。
【００４４】
図５に示す実施例では、携帯端末２の表示部２４には、建物高さ入力部５０ａに、９０００ｍｍ、最低作業床入力部５２ａに１０００ｍｍが入力されている。この状態で計算指示をして情報を計算装置３へ送信する。そして計算装置３の足場資材計算制御部３０により作業床計算ロジック３１ａで演算処理がなされ、計算結果が携帯端末２へ送信される。
計算結果を受信した携帯端末２は、制御部２３により図表化制御を実行し、表示部２４の画面一面に計算結果を表示する（図６）。
あわせて、天井上高さ計算ロジック３１ｂで演算処理された計算結果として天井上高さ、段数計算ロジック３１ｃで演算処理された計算結果が段数、開始コマ算出ロジック３１ｄで演算処理された計算結果が開始コマ、外柱コマ計算ロジック３１ｅで演算処理された計算結果が外柱コマ、内柱コマ計算ロジック３１ｆで演算処理された計算結果が内柱コマ、ジャッキレベル計算ロジック３１ｇで演算処理される。
図６に示す実施例では、上記計算結果として、ジャッキレベルが４７０ｍｍ、開始コマは２コマ、段数は６段、外柱は根がらみ支柱が２コマ、他は２４コマ、内柱は、根がらみ支柱が２コマ、他は２４コマが算出されている。
そして、携帯端末２の表示部２４は、画面一面に、計算結果の建物高さ、最上作業床情報、最低作業床情報、天井上高さ、ジャッキレベル、外柱コマ、内柱コマが、模式化された図の中に当てはめられて表示される。
【００４５】
〔計算手順：作業床計算ロジック〕
図８〜１２は、本発明に係る足場資材簡易計算システムの足場資材計算ロジックを説明するフローチャートである。
なお、「足場資材の計算」は、正確には足場組み立てのために必要な足場資材の割付計算、資材の数量算出、支柱長さ（高さ）計算、コマ数のカウント、ジャッキレベルの計算、ＧＬの計算等全般を含む。
【００４６】
足場資材計算装置３は、携帯端末２から送信された情報を受信手段３４で受け付けると、情報が、建物高さと、最上作業床の情報あるいは最低作業床の情報であるか検討し、不足の情報については計算ロジックで算出する。
図８は、携帯端末２の表示部２４で、最低作業床の情報のみ入力され、計算装置３に最上作業床の情報が送信されなかった場合に、最上作業床の情報を算出する場合に実行されるフローチャートである。
まず最上作業床の高さ情報が不足していると、演算手段３２は、格納手段３１の作業床計算ロジック３１ａで最上作業床の高さを計算する。
まず、送信された建物高さと最低作業床の情報から、最低作業床の高さが、建物高さより小さいかどうか検討する（ステップ２０１）。
最低作業床の高さが、建物高さより大きい場合、建物高さが不足しているとしてエラー表示となる（ステップ２０２）。
最低作業床の高さが、建物高さより小さい場合、最上作業床の高さを算出する。最上作業床は、（建物高さ−最低作業床）÷１８００の余りと等しいので、最上作業床計算ロジックは、
最上作業床＝（建物高さ−最低作業床）÷１８００の余り
となる（ステップ２０３）。
そして、最上作業床＝０でない場合は、ステップ２０３で算出された計算結果が最上作業床の高さとなる（ステップ２０４）。
一方、最上作業床＝０の場合には、１８００を足して最上作業床の高さを算出する（ステップ２０５）。この場合、
最上作業床＝１８００
となり、最上作業床の高さが算出される。
【００４７】
図９は、携帯端末２の表示部２４で、最上作業床の情報のみ入力され、計算装置３に最低作業床の情報が送信されなかった場合に、最低作業床の情報を算出する場合に実行されるフローチャートである。
最低作業床の高さ情報が不足していると、演算手段３２は、格納手段３１の作業床計算ロジック３１ａで最低作業床の高さを計算する。
最低作業床の高さは、（建物高さ−最上作業床）÷１８００の余りと等しいので、最低作業床計算ロジックは、
最低作業床＝（建物高さ−最上作業床）÷１８００の余り
となる（ステップ３０１）。
【００４８】
そして根がらみ支柱がある場合（ステップ３０２）、最低作業床が１４０より小さいか検討（ステップ３０３）し、根がらみ支柱がない場合（ステップ３０２）、最低作業床が３００より小さいか検討（ステップ３０４）する。
根がらみ支柱があって最低作業床が１４０より小さい場合（ステップ３０３）、根がらみ支柱がなくて最低作業床が３００より小さい場合（ステップ３０４）、
最低作業床に１８００を足して最低作業床を算出する（ステップ３０５）。この場合、
最低作業床＝１８００
となる。
そして、建物高さが、最低作業床と最上作業床の合計より小さい場合（ステップ３０６）には、建物高さが足りていないとしエラー表示する（ステップ３０７）。
一方、建物高さが、最低作業床と最上作業床の合計より大きい場合（ステップ３０６）、最低作業床として保存される。
【００４９】
〔計算手順：天井上高計算ロジック〕
最上作業床及び最低作業床の高さが算出された後、天井上の高さを算出する。
図１０は、天井上高計算ロジック及びジャッキレベル計算ロジックを実行する場合のフローチャートである。
天井上高さ計算ロジック３１ｂは、作業床計算ロジック３１ａにより算出された最上作業床及び最低作業床の情報のうち、最上作業床の情報を使う。
天井上の高さ＝「最上作業床以上の高さ定数」−「最上作業床」（ステップ５０１）
「最上作業床以上の高さ定数」は、格納手段３１に「タイプ別コマ定数」情報として格納されている。天井上高は、「最上作業床以上の高さ定数」を参照し、演算手段３２により算出される（図１３参照）。
【００５０】
〔計算手順：ジャッキレベル計算ロジック〕
ジャッキレベル計算ロジック３１ｇは、作業床計算ロジック３１ａにより算出された最上作業床及び最低作業床の情報のうち、最低作業床の情報を使う。
根がらみ支柱がある場合（ステップ５０２）、
ＪＬ（ジャッキレベル）＝（最低作業床÷４５０の余り）−８０（ステップ５０３）
で算出する。マイナスする「８０」は、根がらみ支柱の最下端から最初のコマ（緊結部）までの長さ８０ｍｍである。
一方、根がらみ支柱がない場合（ステップ５０２）、
ＪＬ＝（最低作業床÷４５０の余り）−２４０（ステップ５０４）
で算出する。マイナスする「２４０」は、支柱の最下端から最初のコマまでの長さ２４０ｍｍである。
【００５１】
次に、算出されたＪＬが６０より小さいか検討する（ステップ５０５）。
ＪＬが６０より小さい場合、ステップ５０３、５０４で算出されたＪＬに４５０を足して最終ジャッキレベル（ＪＬａ）を算出して、その計算結果を保存する（ステップ５０６）。
算出されたＪＬが６０以上の場合は、そのまま最終ジャッキレベル（ＪＬ）として計算結果を保存する。
【００５２】
そして、最終ジャッキレベル（ＪＬ、ＪＬａ）として算出された数値が、
４８０＜ＪＬ＜５１０（ステップ５０７）又は４８０＜ＪＬａ＜５１０（ステップ５０７ａ）を満たすか検討する。
満たす場合には、ＧＬ−ジャッキベース上端の数値が不正としてエラー表示される（ステップ５０８）。この場合、根がらみ支柱の設定変更を推奨することになる。
４８０＜ＪＬ＜５１０（ステップ５０７）又は４８０＜ＪＬａ＜５１０（ステップ５０７ａ）を満たさない場合、
ＪＬｏｒＪＬａ＞最低作業床
であるか確認する（ステップ５０９）。
ＪＬｏｒＪＬａ＞最低作業床ではない場合には、ジャッキレベルの計算は終了し、保存手段３３に計算結果が最終ジャッキレベルとして保存される。
ＪＬｏｒＪＬａ＞最低作業床の場合には、ＧＬ−ジャッキベース上端の数値が不正としてエラー表示される（ステップ５１０）。
なお、フローチャートにおいて、エラー表示された場合は、条件を変更して再計算をすればよい。
【００５３】
図１１は、本発明に係る足場資材簡易計算システムの足場資材計算ロジックを説明するフローチャートであり、段数、開始コマ、外柱コマ、内柱コマ、３６００の柱本数の各計算ロジックを実行する場合のフローチャートである。
〔計算手順：段数計算ロジック〕
計算装置３の足場資材計算制御部３０は、受信手段３４により受信した情報を受け付けると、未入力値の有無を検討する（ステップ１０１）。未入力値がある場合には、エラー表示となる（ステップ１０２）。
【００５４】
未入力値がない場合、最低作業床と最上作業床を合わせた長さが、建物高さより少ないか検討する（ステップ１０３）。最低作業床と最上作業床を合わせた長さが、建物高さより多い場合は、建物高さが足りないということであり、エラー表示となる（ステップ１０４）。
【００５５】
最低作業床と最上作業床を合わせた長さより、建物高さが長い場合は、建物高さは足りていて初期の計算条件を満たす。そこで、足場資材計算制御部３０は、格納手段３１の段数計算ロジック３１ｃを実行して演算し、段数を計算する（ステップ１０５）。
段数とは、建地の高さ方向に一定の間隔毎に配置される作業床の数である。作業床は、作業エリアとなる足場板のことであり、建地の支柱に一定間隔ごとに設置される。一般的には、支柱のコマに足場板を固定して各段が形成される。作業床が配置される支柱の高さ方向の間隔は、１スパン＝１，８００ｍｍである。したがって、段差の算出ロジックは
段数＝｛（建物高さ−最低作業床−最上作業床）／１８００の商｝＋１
となり、建物高さから最低作用床以上最上作業床以下の範囲で計算する。
例えば、建物高さが９０００ｍｍ、最低作業床１０００ｍｍ、最上作業床８００ｍｍとすると、
（９０００−１０００−８００）／１８００＝４
段数＝４＋１＝５段
である。
【００５６】
〔計算手順：開始コマ計算ロジック〕
まず、根がらみ支柱があるか検討する（ステップ１０６）。
根がらみ支柱の有無を検討した後に、開始コマを計算する（ステップ１０７、１０８）。
開始コマは、ジャッキレベルとジョイント部の高さを取り除き、またスタートの１段目を考慮し、商に＋１をする。
そうすると、「根がらみ支柱」がある場合に、開始コマ算出ロジック３１ｄは、
開始コマ＝｛（最低作業床−ＪＬ−８０／４５０の商｝＋１（ステップ１０７）
根がらみ支柱のない場合、
開始コマ＝｛（最低作業床−ＪＬ−２４０／４５０の商｝＋１（ステップ１０８）
である。
取り除くジョイント部は、根がらみ支柱がある場合、根がらみ支柱の最下端から最初のコマ（緊結部）までの長さは８０ｍｍである。
一方、根がらみ支柱がない場合、ジョイント部は、支柱の最下端から最初のコマまでの長さは２４０ｍｍである。
上記開始コマ算出ロジック３１ｄの実行により、根がらみ支柱のある場合、根がらみ支柱コマは２となり（ステップ１０９）、根がらみ支柱のない場合、根がらみ支柱コマは０となる（ステップ１１０）。
【００５７】
〔計算手順：外柱コマ計算ロジック〕
外柱コマは、外柱コマ計算ロジック３１ｅにより求める。
外柱コマ計算ロジック３１ｅは、
（開始コマ＋（段数−１）×４＋足場種類別の上部コマ数）
であり、外柱コマは、
外柱コマ＝（開始コマ＋（段数−１）×４＋外柱タイプ別コマ定数）
となる（ステップ１１１）。
足場種類別の上部コマ数は、図１３に示すようにあらかじめ設定される。
図１３は、足場種類（上部仕様）のタイプ別コマ定数の一覧表である。足場の上部仕様のタイプによって、外柱コマ定数、内柱コマ定数、最上作業床以上の高さ定数が、計算装置３の保存手段３３に格納され、各計算ロジックの実行中に参照して計算する。
本実施例では、タイプＣが選択されているため、外柱コマ定数は４となる。
【００５８】
内柱コマは、内柱コマ計算ロジック３１ｆにより求める。
内柱コマ計算ロジック３１ｆは、外柱に対して、足場種類別の外と内の差分を差し引いてもめる。
したがって、内柱コマは、
内柱コマ＝外柱コマ−（外柱タイプ別コマ定数−内柱タイプ別コマ定数）
となる（ステップ１１２）。
【００５９】
〔計算手順：３６００ｍｍの柱本数を求める計算ロジック〕
外柱及び内柱について、３６００ｍｍの柱本数が何本になるのか求めることもできる（ステップ１１３、１１４）。
外柱の場合、３６００ｍｍの柱本数は
外柱本数＝（外柱コマ−根がらみ支柱コマ）÷８の商であり、
外柱余りコマ＝（外柱コマ−根がらみ支柱コマ）÷８の余り
となる（ステップ１１３）。
内柱の場合、３６００ｍｍの柱本数は
内柱本数＝（内柱コマ−根がらみ支柱コマ）÷８の商であり、
内柱余りコマ＝（内柱コマ−根がらみ支柱コマ）÷８の余り
となる（ステップ１１４）。
【００６０】
図１２は、足場種類を変更して算出する時に実行される足場種類変更時ロジックを実行する場合のフローチャートである。
足場種類変更時ロジック３１ｚは、足場種類の変更時に実行され、計算可能であれば自動的に数値を計算する。
足場種類の変更指示があると、「建物高さ」又は「最低作業床」が０であるか検討する（ステップ４０１）。
「建物高さ」又は「最低作業床」が０の場合には、建物高さを除くすべての値をリセットし処理を終了する（ステップ４０２）。
「建物高さ」又は「最低作業床」が０でない場合は、最低作業床を求める計算ロジック（図９参照）を実行する。
【００６１】
このように本発明に係る足場資材簡易計算システムは、足場資材の足場資材計算制御部３０の格納手段３１に格納される足場資材計算ロジックが、複数格納されてなり、複数の足場資材計算ロジックにより算出された複数の計算結果が保存手段に保存され携帯端末２に送信され、携帯端末２の制御部２３は、通信手段２５により受信した複数の計算結果を表示部２４に表示するよう制御する構成となっている。
そして、携帯端末２の制御部２３は、通信手段により受信した複数の計算結果を、携帯端末２の表示部２４の画面一面に視覚的に理解しやすいように図表化して表示するよう図表化制御し、表示部２４は図表化制御により画面一面に計算結果を表示する。
これにより、利用者は、複数の計算結果を携帯端末２の表示部２４で簡単に確認することができ、現場の状況にあわせて、最適な足場資材の選択ができる。また、このような仕様とすることで、足場資材の選択ミスを防ぎ、より最適な計算が可能となり省力化を図ることができる。
【産業上の利用可能性】
【００６２】
本発明に係る足場資材割付計算システムは、建物高さと「最上作業床」又は「最低作業床」の情報を数値で入力するだけで、仮設足場の組み立てに必要な複数の計算を行い、その結果をわかりやすく画面一面で表示するものであり、事前の準備段階はもちろん、現場で必要な時に適宜計算しなおすこともできるものであり、本実施例においては携帯端末としてスマートフォンを例にしたが、タブレットやノートパソコンはもちろん、本発明の機能を備えた小型専用端末としたり、数字入力可能な腕時計などに組み込むこともできる。
【符号の説明】
【００６３】
１  足場資材簡易計算システム
２  携帯端末
２１  情報入力部
２２  記憶部
２３  制御部
２４  表示部
２４ａ  計算結果表示部
２４ｃ  計算条件選択部
２５  通信手段
３  足場資材計算装置
３０  足場資材計算制御部
３１  格納手段
３２  演算手段
３３  保存手段
３４  受信手段
３５  送信手段
３６  足場資材データベース
４  管理者用端末
１００  通信回線
【要約】
【課題】携帯端末に数字を入力するだけで、仮設足場の組み立てに必要な情報の計算ができ、また複数の計算結果が携帯端末に画面一面に視覚的に理解しやすいように表示される足場資材簡易計算システムを提供する。
【解決手段】足場資材計算制御部と足場資材データベースを備える足場資材計算装置と、情報入力部、記憶部、制御部、表示部及び通信手段を備える携帯端末とが、通信回線を介して接続され、携帯端末は、制御部によって実行されるアプリケーションソフトウエアが記憶部に記憶され、アプリケーションソフトウエアは、携帯端末の表示部に、建物高さと最上作業床又は最低作業床の情報を入力可能に表示する機能及び足場資材計算制御部から送信される計算結果を表示する機能を備え、足場資材計算制御部は、足場資材データベースの情報を参照し、格納手段に格納される複数の計算ロジックによって演算処理をする演算手段を備えてなる。
【選択図】  図１【図１】
0006987484.tif 000002
【図２】
0006987484.tif 000003
【図３】
0006987484.tif 000004
【図４】
0006987484.tif 000005
【図５】
0006987484.tif 000006
【図６】
0006987484.tif 000007
【図７】
0006987484.tif 000008
【図８】
0006987484.tif 000009
【図９】
0006987484.tif 000010
【図１０】
0006987484.tif 000011
【図１１】
0006987484.tif 000012
【図１２】
0006987484.tif 000013
【図１３】
0006987484.tif 000014
【図１４】
0006987484.tif 000015
【図１５】
0006987484.tif 000016